(57)【要約】【課題】本発明は、消去すべきコンテンツを抽出してユーザーに提示する記録再生装置の提供を目的とする。【解決手段】本発明の記録再生装置は、画像や音声などのコンテンツを記録する記録部１５と、記録部１５に記録された前記コンテンツを再生する再生部１２と、コンテンツの記録部１５への記録時からの経過時間とコンテンツの再生部１２での再生回数とコンテンツのジャンルとに基づき所定の規則に則って算出される寿命スコアをコンテンツに紐付けて保存する寿命スコア保存部７と、任意のコンテンツを記録部から消去するデータ消去部１４と、寿命スコア保存部７に保存された寿命スコアを参照して記録部１５に記録されたコンテンツの消去優先順位を示す情報を作成し、当該情報をデータ消去部での消去対象として外部から指定可能に提示する優先順位情報作成部８，１０とを備える。【選択図】図１
2013046196.tif 000002
【特許請求の範囲】
【請求項１】
画像や音声などのコンテンツを記録する記録部と、
前記記録部に記録された前記コンテンツを再生する再生部と、
前記コンテンツの前記記録部への記録時からの経過時間と前記コンテンツの前記再生部での再生回数と前記コンテンツのジャンルとに基づき所定の規則に則って算出される寿命スコアを前記コンテンツに紐付けて保存する寿命スコア保存部と、
任意の前記コンテンツを前記記録部から消去するデータ消去部と、
前記寿命スコア保存部に保存された前記寿命スコアを参照して前記記録部に記録された前記コンテンツの消去優先順位を示す優先順位情報を作成し、前記優先順位情報を前記データ消去部での消去対象として外部から指定可能に提示する優先順位情報作成部とを備える、
記録再生装置。
【請求項２】
前記寿命スコアを更新する寿命スコア更新部をさらに備え、
前記寿命スコアは０又は正の整数であり、
前記寿命スコア更新部は、前記コンテンツが再生される度に前記寿命スコアから再生時減点スコアを減じ、
前記優先順位情報作成部は、前記寿命スコアの小さい順に前記コンテンツの消去優先順位を定める、
請求項１に記載の記録再生装置。
【請求項３】
前記再生時減点スコアは、前記コンテンツのジャンルに応じて定められる、
請求項２に記載の記録再生装置。
【請求項４】
前記再生時減点スコアは外部から設定可能な、
請求項３に記載の記録再生装置。
【請求項５】
前記寿命スコア更新部は、記録時から一定時間が経過するごとに定時更新時減点スコアを前記寿命スコアから減ずる、
請求項２〜４のいずれかに記載の記録再生装置。
【請求項６】
前記定時更新時減点スコアは、前記コンテンツのジャンルに応じて定められる、
請求項５に記載の記録再生装置。
【請求項７】
前記定時更新時減点スコアは外部から設定可能な、
請求項６に記載の記録再生装置。
【請求項８】
前記寿命スコア保存部は、前記寿命スコアの初期値として前記コンテンツのジャンルに応じた値を記録する、
請求項２〜７のいずれかに記載の記録再生装置。
【請求項９】
前記寿命スコアの初期値は外部から設定可能な、
請求項８に記載の記録再生装置。
【請求項１０】
前記優先順位情報作成部は、前記記録部に記録された前記コンテンツを消去優先順位が高い順に並べたコンテンツ消去予定リストを表示部に表示させ、
前記データ消去部は、前記コンテンツ消去予定リストに基づき外部から消去指定した前記コンテンツを前記記録部から消去する、
請求項２〜９のいずれかに記載の記録再生装置。
【請求項１１】
前記記録部の残容量を検出する残容量検出部をさらに備え、
前記データ消去部は、前記記録部の残容量が残容量閾値を下回る容量逼迫状態になると、前記残容量閾値以上の残容量が確保できるまで、前記記録部から前記コンテンツを前記優先順位情報作成部が定めた消去優先順位の高い順に消去する、
請求項２〜１０のいずれかに記載の記録再生装置。
【請求項１２】
前記記録部の残容量を検出する残容量検出部をさらに備え、
前記データ消去部は、外部から消去指定した前記コンテンツを、前記記録部の残容量が残容量閾値を下回る容量逼迫状態となった時点で消去する、
請求項２〜１０のいずれかに記載の記録再生装置。
【請求項１３】
前記記録部の残容量を検出する残容量検出部をさらに備え、
前記データ消去部は、外部から消去指定した前記コンテンツを、前記記録部に新たに記録すべき前記コンテンツが上書きされた時点で消去する、
請求項１２に記載の記録再生装置。
【請求項１４】
前記記録部の残容量を検出する残容量検出部をさらに備え、
前記データ消去部は、外部から消去指定した前記コンテンツを、前記記録部の残容量が残容量閾値を下回る容量逼迫状態となった時点で前記記録部から消去し、前記容量逼迫状態時に外部から消去指定した前記コンテンツがない場合に、前記残容量閾値以上の残容量が確保できるまで、前記記録部から前記コンテンツを前記優先順位情報作成部が定めた消去優先順位の高い順に消去する、
請求項２〜１０のいずれかに記載の記録再生装置。
【請求項１５】
前記寿命スコア更新部は、前記コンテンツ消去予定リストに基づき外部から延長指定した前記コンテンツの前記寿命スコアに所定値を加算する、
請求項１０に記載の記録再生装置。
【請求項１６】
前記コンテンツの再生割合を検出する再生割合検出部をさらに備え、
前記寿命スコア更新部は、前記コンテンツの一部が再生される度に前記寿命スコアから前記再生時減点スコアに前記再生割合を乗じた値を減じる、
請求項２〜１５のいずれかに記載の記録再生装置。
【請求項１７】
前記記録部は、ＣＤ，ＤＶＤ，ブルーレイディスクを含むループ記録が可能なディスクメディアや、又はＨＤＤである、
請求項１〜１６のいずれかに記載の記録再生装置。
【発明の詳細な説明】
【技術分野】
【０００１】
この発明は、映像や音声などのマルチメディアコンテンツを記録再生する記録再生装置に関する。
【背景技術】
【０００２】
昨今のテレビ放送の記録再生装置は大容量化が進み、手軽に大量のコンテンツを長期間保存することができるようになった。録画や予約録画は電子コンテンツ表を用いて簡単に行う事ができる。また、コンテンツ情報を分析し、ユーザーが登録したキーワードに関連するコンテンツを自動的に記録することも可能である。これにより、記録再生装置を一時バッファとして用いてテレビ放送を手軽にタイムシフト視聴することが出来るようになった。
【０００３】
興味のあるコンテンツをいつでも視聴できるという点でユーザーの利便性は向上したが、一方で、視聴しないコンテンツが記録媒体の容量を圧迫するという問題が生じている。
【０００４】
例えば、家族で１つの記録再生装置を共有しており、親と子供が同じコンテンツを好む場合、親があるコンテンツを視聴し終わっても、子供が視聴済みか否かが分からないためにそのコンテンツを消去せず残しておくことが考えられる。こうして、二度と再生しないコンテンツが長期間保存されることになる。
【０００５】
その結果、記録媒体の空き容量が知らぬ間に少なくなってしまい、新たな録画が出来ないという不都合が生じる。また、予約録画を設定しても録画されないという状況になる。この段階に至って、ユーザーは大量のコンテンツの中から不要なコンテンツを探して消去しなければならない。一般的に、記録したコンテンツは記録日時の順やジャンル毎にリスト表示されるが、依然として、こうしたリスト表示から不要なコンテンツを選び出すことは困難で手間がかかる作業である。
【０００６】
こうした不都合を解消するために、録画データを自動的に消去する技術が開示されている。例えば特許文献１では、録画日からの経過時間にジャンルによる重み付けをした指標を参照して、自動的にコンテンツを消去する技術が提案されている。また、コンテンツに消去禁止の情報を付すことで、誤って消去するリスクを回避することも可能にしている。
【０００７】
また、特許文献２の常時番組記録管理端末は、記録デバイスの残容量が所定量を下回ったときに、再生回数の少ないものの中から、記録からの経過時間を考慮してコンテンツを選択し、削除する機能を提供している。
【０００８】
また、特許文献３では、コンテンツの記録や再生操作にてコンテンツに含まれるキーワードに点数を加算して、ユーザーの嗜好度合いを導き出し、自動記録や消去に活用する技術を提案している。
【０００９】
また、特許文献４では、視聴を許可される予め登録されたユーザーの視聴状況を観測し、全員の視聴が完了した段階で録画データを消去する方法を提案している。
【先行技術文献】
【特許文献】
【００１０】
【特許文献１】特許第３９７９２２６号公報
【特許文献２】特許第３２３４９１２号公報
【特許文献３】国際公開第２００７／０１３３０８号公報
【特許文献４】特許第４２１９８１１号公報
【発明の概要】
【発明が解決しようとする課題】
【００１１】
しかしながら、特許文献１のコンテンツ消去方法は、コンテンツの再生回数を考慮していないので、未視聴のコンテンツと視聴済みのコンテンツが一律に消去されてしまうという問題がある。
【００１２】
また、特許文献２のコンテンツ消去方法は、再生回数と経過時間に基づきコンテンツを削除するため、ユーザーの嗜好が反映されないという問題がある。
【００１３】
また、特許文献１〜４に開示されたいずれのコンテンツ消去方法も、ユーザーの意思とは関係なく自動的にコンテンツの消去を行うため、ユーザーが保存しておきたいコンテンツが消去されてしまうおそれがある。
【００１４】
本発明は上述の問題点に鑑み、消去すべきコンテンツを合理的に抽出してユーザーに提示し簡便な消去を補助する記録再生装置の提供を目的とする。
【課題を解決するための手段】
【００１５】
本発明の記録再生装置は、画像や音声などのコンテンツを記録する記録部と、前記記録部に記録された前記コンテンツを再生する再生部と、前記コンテンツの前記記録部への記録時からの経過時間と前記コンテンツの前記再生部での再生回数と前記コンテンツのジャンルとに基づき所定の規則に則って算出される寿命スコアを前記コンテンツに紐付けて保存する寿命スコア保存部と、任意の前記コンテンツを前記記録部から消去するデータ消去部と、前記寿命スコア保存部に保存された前記寿命スコアを参照して前記記録部に記録された前記コンテンツの消去優先順位を示す優先順位情報を作成し、前記優先順位情報を前記データ消去部での消去対象として外部から指定可能に提示する優先順位情報作成部とを備える。
【発明の効果】
【００１６】
本発明の記録再生装置は、コンテンツの記録部への記録時からの経過時間と前記コンテンツの再生部での再生回数と前記コンテンツのジャンルとに基づき所定の規則に則って算出される寿命スコアを前記コンテンツに紐付けて保存する寿命スコア保存部と、前記寿命スコア保存部に保存された前記寿命スコアを参照して前記記録部に記録された前記コンテンツの消去優先順位を示す優先順位情報を作成し、前記優先順位情報をデータ消去部での消去対象として外部から指定可能に提示する優先順位情報作成部とを備える。よって、ユーザーは優先順位情報を参照して消去すべきコンテンツを簡単に選択することが出来る。
【図面の簡単な説明】
【００１７】
【図１】実施の形態１に係る記録再生システムの構成を示すブロック図である。
【図２】寿命スコアの推移例を示す図である。
【図３】コンテンツ消去予定リストの画面表示例を示す図である。
【図４】コンテンツパラメータテーブルを示す図である。
【図５】コンテンツ消去予定リストの画面表示例を示す図である。
【図６】実施の形態２に係る記録再生システムの構成を示すブロック図である。
【発明を実施するための形態】
【００１８】
（実施の形態１）
図１は、実施の形態１に係る記録再生システムの構成を示すブロック図である。この記録再生システムは、記録再生装置２０と表示装置３０を備えている。
【００１９】
記録再生装置２０は、入力端子１、受信部２、変換部３、データ分離部４、出力部５、出力端子１６を備えている。
【００２０】
入力端子１には、外部から映像や音声などのマルチメディアコンテンツが入力され、入力されたコンテンツは受信部２で復調される。受信部２で復調したコンテンツは、変換部３において本システムで取り扱い可能なデータ形式に変換され、さらにデータ分離部４で映像、音声、情報等に分離される。コンテンツの映像と音声は出力部５から出力端子１６を介して表示装置３０に出力される。なお、図１では表示装置３０を記録再生装置２０の外部装置として示しているが、表示装置３０が記録再生装置２０に内蔵されていても良い。
【００２１】
さらに記録再生装置２０は、記録制御部１１、記録部１５、再生部１２、残容量検出部１７、データ消去部１４を備えている。
【００２２】
コンテンツはデータ分離部４から記録制御部１１に送られ、記録制御部１１によって記録部１５に記録される。記録部１５には、ＣＤ，ＤＶＤ，ブルーレイディスクを含むループ記録が可能なディスクメディアや、ＨＤＤを用いることが可能である。再生するコンテンツは、再生部１２によって記録部１５から取り出されて出力部５に送られ、さらに出力端子１６を介して表示装置３０で表示される。残容量検出部１７は常に記録部１５の残容量を監視しており、残容量が残容量閾値を下回ると、データ消去部１４が記録部１５から所定のコンテンツを消去して、残容量が残容量閾値を上回る状態にする。
【００２３】
さらに記録再生装置２０は、コンテンツ情報分析部６、コンテンツ寿命管理部１０、寿命スコア保存部７、コンテンツパラメータテーブル９、設定・操作部１３を備えている。
【００２４】
コンテンツ情報分析部６は、記録部１５に記録するコンテンツのジャンル情報をデータ分離部４から取得する。読み取ったジャンル情報はコンテンツ寿命管理部１０に送られる。コンテンツ寿命管理部１０はコンテンツパラメータテーブル９を参照し、当該ジャンル情報からコンテンツのジャンルに基づく寿命スコアの初期値を読み出す。読み出した値は当該コンテンツの寿命スコアとして、寿命スコア保存部７に保存される。
【００２５】
さらにコンテンツ寿命管理部１０は、記録部１５に記録されている全てのコンテンツの寿命スコアを一定周期で更新する。すなわち、コンテンツ寿命管理部１０は寿命スコア保存部７から全てのコンテンツの寿命スコアを一定周期で読み出し、これらの寿命スコアから予め定めた定時更新時減点スコアＴを減算し、減算後の寿命スコアを新たな寿命スコアとして寿命スコア保存部７に保存する。
【００２６】
またコンテンツ寿命管理部１０は、コンテンツが再生される度に当該コンテンツの寿命スコアを更新する。すなわち、コンテンツ寿命管理部１０は再生部１２から再生したコンテンツ（再生コンテンツ）についての情報を取得すると、寿命スコア保存部７から再生コンテンツの寿命スコアを読み出す。さらに、コンテンツパラメータテーブルから再生時減点スコアＰを取得し、再生コンテンツの寿命スコアから再生時減点スコアＰを減算する。そして、減算後の寿命スコアを新たな寿命スコアとして寿命スコア保存部７に保存する。このように、コンテンツ寿命管理部１０は寿命スコア更新部として動作する。
【００２７】
図２に、寿命スコアの推移を具体例で説明する。図２（ａ）は寿命スコアの初期値、定時更新時減点スコアＴ、再生時減点スコアＰを示している。寿命スコアの初期値と再生時減点スコアＰはコンテンツパラメータテーブルに格納されている。ここでは一日ごとに定時更新を行い、定時更新時減点スコアＴを１とする。また、再生時減点スコアＰを２０とする。
【００２８】
図２（ｂ）は３つのコンテンツＡ〜Ｃについて寿命スコアの推移を示したものである。２０１１年３月３１日にコンテンツＡが記録されると、コンテンツＡの寿命スコアに初期値の１００が設定される。次に２０１１年４月１０日にコンテンツＢが記録されると、コンテンツＢの寿命スコアに初期値の１００が設定される。このときコンテンツＡは記録されてから１０日経過しているので、その寿命スコアは１０減じられて９０となっている。２０１１年４月２０日にコンテンツＡを１回再生する。この時点で４月１０日から１０日経過したことによりコンテンツＡ，Ｂの寿命スコアは１０減じられており、加えてコンテンツＡの寿命スコアは再生時減点スコア２０だけさらに減じられる。よって、コンテンツＡ，Ｂの寿命スコアはそれぞれ６０，９０となる。２０１１年４月２５日にコンテンツＢが２回再生される。この時点で４月２０日から５日経過したことによりコンテンツＡ，Ｂの寿命スコアは５減じられており、加えてコンテンツＢの寿命スコアは再生時減点スコア２０の２倍の４０だけさらに減じられる。よって、コンテンツＡ，Ｂの寿命スコアはそれぞれ５５、４５となる。２０１１年４月３０日にコンテンツＣが記録されると、コンテンツＣの寿命スコアに初期値の１００が設定される。このとき４月２５日から５日経過したので、コンテンツＡ及びコンテンツＢの寿命スコアは５減じられており、夫々５０，４０となる。２０１１年５月１０日にコンテンツＢが１回再生されると、４月３０日から１０日経過したことによりコンテンツＡ〜Ｃの寿命スコアは全て１０減じられており、加えてコンテンツＢの寿命スコアは再生時減点スコアだけさらに減じられる。よって、コンテンツＡ、Ｂ，Ｃの寿命スコアはそれぞれ、４０，１０，９０となる。
【００２９】
またコンテンツ寿命管理部１０は、記録部１５に記録された全コンテンツの寿命スコアを寿命スコア保存部７から読み出し、スコアの大きさ順にソートする。ソート結果はグラフィック回路８でコンテンツ消去予定リストとして画像情報に構築され、出力部５を経由して適切な表示形式に変換され、出力端子６を通して表示装置３０に表示される。図３に、コンテンツ消去予定リストの例を示す。ここでは、寿命スコアの小さい順に優先順位を付してコンテンツを表示し、その他、記録日や再生回数、消去選択ボックスを表示している。ユーザーはこの画像を見ながら、消去するコンテンツを選択することが出来るので、大量のコンテンツが記録部１５に記録されている場合でも、消去すべきコンテンツを素早く探すことが出来る。
【００３０】
コンテンツ消去予定リストは、例えばユーザーが希望する任意のタイミングで表示装置３０に表示される。また、記録部１５に記録された全コンテンツをコンテンツ消去予定リストに載せても良いし、消去優先順位の上位複数個のコンテンツだけを載せても良い。
【００３１】
図２の例では、説明の簡単化のため、コンテンツＡ〜Ｃの全てについて寿命リストの初期値を１００、再生時減点スコアを２０と統一していた。しかし、これらの値をコンテンツのジャンル毎に変えることによって、より高精度なコンテンツ消去予定リストを作成することが出来る。
【００３２】
図４に、コンテンツパラメータテーブル９の例を示す。コンテンツパラメータテーブル９には、スポーツや音楽、ドラマといったコンテンツのジャンル毎に、寿命スコアの初期値と再生時減点スコアが示されている。これらのパラメータは、ユーザーが設定・操作部９から任意に設定することが可能である。図４の例では、時事性の高いニュースは長期間保存する必要性が低く、１度再生すればすぐに消去しても構わないと考えられるので、寿命スコア初期値を低め、かつ再生時減点スコアを高めにしている。反対に、歌番組やドラマなどは長期間保存し、何度も再生する可能性があり、また家族が共有するコンテンツであるとも考えられるので、寿命スコア初期値を高め、かつ再生時減点スコアを低めに設定している。また、アニメーションの寿命スコア初期値をＦ、再生時減点スコアを０としているが、このように設定することにより、コンテンツ消去予定リストに反映させず、ユーザーの手作業による消去のみ許可するようにすることが可能である。
【００３３】
このように、寿命スコアの初期値と再生時減点スコアをユーザーが任意に設定可能な構成にしているので、ユーザーの嗜好に合わせたコンテンツ消去予定リストを作成することが出来る。なお、図４の例では寿命スコアの初期値と再生時減点スコアをコンテンツパラメータテーブルに示したが、定時更新時減点スコアもコンテンツのジャンル毎に異なる値とし、コンテンツパラメータテーブルに含めて設定・操作部９からユーザーが任意に設定できる構成としても良い。
【００３４】
コンテンツ消去予定リストは、例えばユーザーの操作に応じて表示装置３０に表示され、ユーザーはリスト表示されたコンテンツの中から、消去したいと思うコンテンツを指定する。データ消去部１４はユーザーが指定したコンテンツを即時に記録部１５から消去する。
【００３５】
あるいは、記録部１５が残容量不足になるのを待って、ユーザーが指定したコンテンツの消去を待っても良い。すなわち、残容量検出部１７において記録部１５の残容量が残容量閾値を下回る容量逼迫状態になったことを検出したときに、ユーザーが指定したコンテンツの消去を行う。あるいは、記録部１５で上書きが実行された時点でユーザーが指定したコンテンツの消去を行っても良い。記録部１５の容量をなるべく使い切ってからコンテンツの消去を行うことにより、記録媒体の一部分を繰り返し使用せず全体を使用することができ、記憶媒体の長寿命化を図ることになる。
【００３６】
残容量検出部１７で記録部１５の残容量が残容量閾値を下回ったことを検出すると、残容量閾値以上の残容量を確保するまで、データ消去部１４はコンテンツ消去予定リストにおいて消去優先順位の高い順にコンテンツを記録部１５から消去する。勿論、ユーザーがコンテンツ消去予定リストから指定したコンテンツがある場合には、当該コンテンツを優先的に消去する。ユーザーが指定したコンテンツを消去してもなお記録部１５の残容量が残容量閾値を下回っている場合には、残容量が残容量閾値以上になるまでコンテンツ消去予定リストにおける消去優先順位の高い順に、コンテンツを記録部１５から消去する。
【００３７】
なお、図５に示すコンテンツ消去予定リストの表示画面のように、ユーザーがコンテンツの延長指定が出来るようにしても良い。ユーザーが画面上の「延長」ボタンを選択すると、コンテンツ寿命管理部１０は選択されたコンテンツの寿命スコアを寿命スコア保存部７から取り出し、これに所定値を加算して寿命スコア保存部９に再び保存する。
【００３８】
これにより、現在は消去したくないコンテンツがコンテンツ消去予定リストで上位に表示される場合に、当該コンテンツの消去優先順位を下げて、消去されることを防ぐことが出来る。
【００３９】
＜効果＞
本実施の形態の記録再生装置２０は、画像や音声などのコンテンツを記録する記録部１５と、記録部１５に記録されたコンテンツを再生する再生部１２と、コンテンツの記録部１５への記録時からの経過時間とコンテンツの再生部１２での再生回数とコンテンツのジャンルとに基づき所定の規則に則って算出される寿命スコアをコンテンツに紐付けて保存する寿命スコア保存部７と、任意のコンテンツを記録部１５から消去するデータ消去部１４と、寿命スコア保存部７に保存された寿命スコアを参照して記録部１５に記録されたコンテンツの消去優先順位を示す優先順位情報を作成し、前記優先順位情報をデータ消去部１４での消去対象として外部から指定可能に提示する優先順位情報作成部（グラフィック回路８、コンテンツ寿命管理部１０）とを備える。これにより、ユーザーは優先順位情報を参照しながら簡単に消去すべきコンテンツを指定することが出来る。また、ユーザー自身が消去すべきコンテンツを指定するので、知らない間に消去したくないコンテンツが消去されてしまうということを防げる。
【００４０】
また、記録再生装置２０は寿命スコアを更新する寿命スコア更新部（コンテンツ寿命管理部１０）をさらに備え、寿命スコアは０又は正の整数であり、コンテンツ寿命管理部１０は、コンテンツが再生される度に寿命スコアから再生時減点スコアを減じ、前記優先順位情報作成部は、寿命スコアの小さい順にコンテンツの消去優先順位を定める。これにより、再生回数が多いコンテンツほど消去優先順位が高くなる。
【００４１】
また、再生時減点スコアはコンテンツのジャンルに応じて定められるので、再生回数に基づく寿命スコアの減少量にジャンルの特性を反映させることが出来る。
【００４２】
また、再生時減点スコアは外部から設定可能であるので、ユーザーが自信の嗜好や視聴状況に応じて再生回数に基づく寿命スコアの減少量を調整することが可能になる。
【００４３】
また、寿命スコア更新部（コンテンツ寿命管理部１０）は、記録時から一定時間が経過するごとに定時更新時減点スコアを寿命スコアから減ずるので、古いコンテンツほど消去優先順位が高くなる。
【００４４】
また、定時更新時減点スコアはコンテンツのジャンルに応じて定められるので、定時更新による寿命スコアの減少量にジャンルの特性を反映させることが出来る。
【００４５】
また、定時更新時減点スコアは外部から設定可能であるので、ユーザーが自信の嗜好や視聴状況に応じて定時更新による寿命スコアの減少量を調整することが可能になる。
【００４６】
また、寿命スコア保存部７は、寿命スコアの初期値としてコンテンツのジャンルに応じた値を記録するので、寿命スコアの初期値にジャンルの特性を反映させることが出来る。
【００４７】
また、寿命スコアの初期値は外部から設定可能なので、ユーザーが自信の嗜好や視聴状況に応じて寿命スコアの初期値を調整することが可能になる。
【００４８】
また、優先順位情報作成部（グラフィック回路８、コンテンツ寿命管理部１０）は、記録部１５に記録されたコンテンツを消去優先順位が高い順に並べたコンテンツ消去予定リストを表示部に表示させ、データ消去部１４は、コンテンツ消去予定リストに基づきユーザーが消去指定したコンテンツを記録部１５から消去する。これにより、ユーザーはコンテンツ消去予定リストを参照しながら簡単に消去すべきコンテンツを指定することが出来る。また、ユーザー自身が消去すべきコンテンツを指定するので、知らない間に消去したくないコンテンツが消去されてしまうということを防げる。
【００４９】
また、実施の形態１の記録再生装置は、記録部１５の残容量を検出する残容量検出部１７をさらに備え、データ消去部１４は、記録部１５の残容量が残容量閾値を下回る容量逼迫状態になると、前記残容量閾値以上の残容量が確保できるまで、記録部１５からコンテンツを優先順位情報作成部（グラフィック回路８、コンテンツ寿命管理部１０）が定めた消去優先順位の高い順に消去する。これにより、記録部１５の容量が一杯であるために新たなコンテンツを記録出来ないという状況を回避する。また、消去優先順位の高い順に消去するので、ユーザーが消去したくないコンテンツが消去される可能性が低い。
【００５０】
また、実施の形態１の記録再生装置は、記録部１５の残容量を検出する残容量検出部１７をさらに備え、データ消去部１４は、外部から消去指定したコンテンツを、記録部１５の残容量が残容量閾値を下回る容量逼迫状態となった時点で消去する。これにより、記録部１５の記録媒体の全体を使用することが出来るので、記録媒体の長寿命化を図ることが出来る。
【００５１】
あるいは、データ消去部１４は、外部から消去指定したコンテンツを、記録部１５に新たに記録すべきコンテンツが上書きされた時点で消去する。これにより、記録部１５の記録媒体の全体を使用することが出来るので、記録媒体の長寿命化を図ることが出来る。
【００５２】
あるいは、データ消去部１４は、外部から消去指定したコンテンツを、記録部１５の残容量が残容量閾値を下回る容量逼迫状態となった時点で記録部１５から消去し、容量逼迫状態時に外部から消去指定したコンテンツがない場合に、残容量閾値以上の残容量が確保できるまで、記録部１５からコンテンツを優先順位情報作成部（グラフィック回路８、コンテンツ寿命管理部１０）が定めた消去優先順位の高い順に消去する。これにより、記録部１５の容量が一杯であるために新たなコンテンツを記録出来ないという状況を回避すると共に、記録部１５の記録媒体の全体を使用することが出来るので、記録媒体の長寿命化を図ることが出来る。
【００５３】
また、寿命スコア更新部（コンテンツ寿命管理部１０）は、コンテンツ消去リストに基づき外部から延長指定したコンテンツの寿命スコアに所定値を加算するので、コンテンツ消去リストで上位に表示されたものの、ユーザーが尚一定時間保存しておきたいと考えるコンテンツについては、延長指定を行うことで消去優先順位を下げることが可能である。
【００５４】
また、記録部１５には、ＣＤ，ＤＶＤ，ブルーレイディスクを含むループ記録が可能なディスクメディアや、ＨＤＤを用いることが可能である。
【００５５】
（実施の形態２）
実施の形態１は、あるコンテンツの全てを１００％再生した時点で１回再生されたとみなし、当該コンテンツの寿命スコアから再生時減点スコアを差し引いていた。しかし、実施の形態２は、１人のユーザーが１つのコンテンツを何回かに分けて視聴することを想定し、あるコンテンツを全て再生し終える前の時点での再生割合を寿命スコアに反映させることにより、より高精度にコンテンツ消去予定リストを作成する。
【００５６】
図６は、実施の形態２に係る記録再生装置２００の構成を示すブロック図である。実施の形態２に係る記録再生装置２００は、実施の形態１に係る記録再生装置２０の構成に加えて、再生割合検出部１８をさらに備えたものである。これ以外の構成は実施の形態１の記録再生装置２０と同様であるため、説明を省略する。
【００５７】
再生割合検出部１８は、再生部１２で再生中のコンテンツの再生割合を検出している。ここで、コンテンツの総時間に対する再生時間を再生割合としても良いし、コンテンツの記録容量に対する再生済みの部分の容量を再生割合としても良い。
【００５８】
コンテンツ寿命管理部１０は再生割合検出部１８からコンテンツの再生割合を受けて、再生時減点スコアに再生割合を乗じた値を当該コンテンツの寿命スコアから差し引く。例えば、あるコンテンツの５割を再生した場合には、再生時減点スコアＰとして、５／１０×Ｐを寿命スコアから差し引く。以下、実施の形態１の記録再生装置２０と同様にして寿命スコアを更新し、コンテンツ消去予定リストを作成してユーザーに提示する。
【００５９】
＜効果＞
実施の形態２の記録再生装置は、コンテンツの再生割合を検出する再生割合検出部１８を備え、寿命スコア更新部（コンテンツ寿命管理部１０）は、コンテンツの一部が再生される度に寿命スコアから再生時減点スコアに再生割合を乗じた値を減じる。これにより、１人のユーザーが１つのコンテンツを複数回に分けて視聴する場合に、高精度にコンテンツの消去優先順位を定めることが出来る。
【符号の説明】
【００６０】
１  入力端子、２  受信部、３  変換部、４  データ分離部、５  出力部、６  コンテンツ情報分析部、７  寿命スコア保存部、８  グラフィック回路、９  コンテンツパラメータテーブル、１０  コンテンツ寿命管理部、１１  記録制御部、１２  再生部、１３  設定操作部、１４  データ消去部、１５  記録部、１６  出力端子、１７  残容量検出部、１８  再生割合検出部、２０，２００  記録再生装置、３０  表示装置。
【図１】
2013046196.tif 000003
【図２】
2013046196.tif 000004
【図３】
2013046196.tif 000005
【図４】
2013046196.tif 000006
【図５】
2013046196.tif 000007
【図６】
2013046196.tif 000008